(57)【要約】【課題】利用者の頸動脈の温度を適切に調節する。【解決手段】身体温冷装置の温調部１１は、右側温調部材２５−１と右耳掛け部材２４−１と右側固定部材２２−１とを備えている。右側温調部材２５−１は、利用者６８の右頸動脈の温度を調節する。右耳掛け部材２４−１は、利用者６８の右耳６９に支持される。右側固定部材２２−１は、右頸動脈に対して所定の位置に右側温調部材２５−１が保持されるように、右耳掛け部材２４−１に右側温調部材２５−１を固定する。【選択図】図１１
2020058738.tif 000002
【特許請求の範囲】
【請求項１】
利用者の頸動脈の温度を調節する温調部材と、
前記利用者の身体の首と異なる部位に支持される支持部材と、
前記頸動脈に対して所定の位置に前記温調部材が保持されるように、前記支持部材に前記温調部材を固定する固定部材
とを備える身体温冷装置。
【請求項２】
前記支持部材は、
前記利用者の右耳に引っ掛けられる右耳掛け部材と、
前記利用者の左耳に引っ掛けられる左耳掛け部材とを有する
請求項１に記載の身体温冷装置。
【請求項３】
前記固定部材は、前記温調部材が前記支持部材に対して第１位置または第２位置に配置されるように、前記支持部材に対して前記温調部材を固定する
請求項１または請求項２に記載の身体温冷装置。
【請求項４】
前記固定部材は、
前記温調部材に固定され、第１穴と第２穴とが形成される固定部材本体と、
前記支持部材に固定され、前記第１穴と前記第２穴とのうちの１つの穴に嵌合するピンとを有する
請求項３に記載の身体温冷装置。
【請求項５】
前記温調部材は、
前記頸動脈のうちの左頸動脈の温度を調節する右側温調部材と、
前記頸動脈のうちの右頸動脈の温度を調節する左側温調部材とを有し、
前記右側温調部材と前記左側温調部材とが前記首を挟むように前記右側温調部材と前記左側温調部材とに弾性力を与える連結部
をさらに備える請求項２に記載の身体温冷装置。
【請求項６】
音声を出力する音響装置をさらに備え、
前記音響装置は、前記右耳掛け部材または前記左耳掛け部材に支持される
請求項２に記載の身体温冷装置。
【請求項７】
前記右耳または前記左耳から前記利用者の生体情報を検出する生体センサをさらに備え、
前記生体センサは、前記右耳掛け部材または前記左耳掛け部材に支持される
請求項２に記載の身体温冷装置。
【請求項８】
前記生体センサは、前記利用者の脈拍を測定する脈拍センサを含む
請求項７に記載の身体温冷装置。
【請求項９】
前記支持部材は、前記利用者の鎖骨に載置される
請求項１に記載の身体温冷装置。
【発明の詳細な説明】
【技術分野】
【０００１】
本開示の技術は、身体温冷装置に関する。
【背景技術】
【０００２】
利用者の頸動脈を流れる血液の温度（以下、頸動脈の温度と称する）を冷却または加熱することにより、利用者の体温を調節する体温調節システムが知られている（特許文献１、２参照）。図１は、公知の体温調節システムを示す斜視図である。図１に示すように、特許文献１に記載される体温調節システムの本体装置１３０は、内側の面１３１ａで利用者の頸部に接触する体温調整動作部としての頸部冷暖部１３１を備えている。頸部冷暖部１３１は、利用者の頸部に取り付けられるために略Ｕ字型に形成されており内側に面１３１ａを有するＵ字部１３１ｂと、Ｕ字部１３１ｂの外側の面に複数個取り付けられた四角形のブロックであるペルティエ素子１３１ｃとを備えている。また、本体装置１３０は、一部が頸部冷暖部１３１のペルティエ素子１３１ｃのうちＵ字部１３１ｂ側とは反対側の面に密接して取り付けられて内部に水を循環させるチューブ１３２と、頸部冷暖部１３１のペルティエ素子１３１ｃに接続された電力供給用のケーブル１３３と、チューブ１３２およびケーブル１３３が接続された筐体１３４と、筐体１３４に接続された電力供給用のケーブル１３５と、ケーブル１３５が接続された筐体１３６とを備えている。頸部冷暖部１３１は、利用者の体温のうち深部体温を調節するための動作として、利用者に対して加温および冷却を実行するようになっている。ペルティエ素子１３１ｃは、Ｕ字部１３１ｂに接する面と、チューブ１３２に接する面とのうち一方が発熱して、他方が吸熱するように、頸部冷暖部１３１に配置されている。ペルティエ素子１３１ｃのうちＵ字部１３１ｂに接する面が発熱するとき、Ｕ字部１３１ｂは、ペルティエ素子１３１ｃで発生した熱を利用者の頸部の全周に伝達することによって、利用者に対して加温を実行するようになっている。また、ペルティエ素子１３１ｃのうちＵ字部１３１ｂに接する面が吸熱するとき、Ｕ字部１３１ｂは、利用者の頸部の全周の熱をペルティエ素子１３１ｃに伝達することによって、利用者に対して冷却を実行するようになっている。筐体１３４および筐体１３６は、利用者が身に付けているベルトに取り付けられるようになっている。筐体１３４の内部には、チューブ１３２の内部の水を冷却するための図示していないラジエータが収納されている。
【先行技術文献】
【特許文献】
【０００３】
【特許文献１】特開２０１５−１００４８９号公報
【特許文献２】特開２０１１−８３４９８号公報
【発明の概要】
【発明が解決しようとする課題】
【０００４】
しかしながら、このような体温調節システムは、利用者の頸動脈の温度を適切に調節するために、頸部冷暖部が頸部の所定の位置に保持される必要がある。
【０００５】
開示の技術は、かかる点に鑑みてなされたものであって、頸部冷暖部を頸部の所定の位置に保持できるようにして、利用者の頸動脈の温度を適切に調節する身体温冷装置を提供することを目的とする。
【課題を解決するための手段】
【０００６】
開示の態様では、身体温冷装置は、利用者の頸動脈の温度を調節する温調部材と、前記利用者の身体の首と異なる部位に支持される支持部材と、前記頸動脈に対して所定の位置に前記温調部材が保持されるように、前記支持部材に前記温調部材を固定する固定部材とを備えている。
【発明の効果】
【０００７】
開示の身体温冷装置は、利用者の頸動脈の温度を適切に調節することができる。
【図面の簡単な説明】
【０００８】
【図１】図１は、図１は、公知の体温調節システムを示す斜視図である。
【図２】図２は、実施例１の身体温冷装置を示す斜視図である。
【図３】図３は、実施例１の身体温冷装置の温調部を示す斜視図である。
【図４】図４は、実施例１の身体温冷装置の熱交換部を示す斜視図である。
【図５】図５は、実施例１の身体温冷装置の熱交換部を示す平面図である。
【図６】図６は、実施例１の身体温冷装置の熱交換部を示す右側面図である。
【図７】図７は、実施例１の身体温冷装置の熱交換部を示す左側面図である。
【図８】図８は、実施例１の身体温冷装置の熱交換部を示す正面図である。
【図９】図９は、実施例１の身体温冷装置の熱交換部の筐体の内部を示す斜視図である。
【図１０】図１０は、実施例１の身体温冷装置を示すブロック図である。
【図１１】図１１は、実施例１の身体温冷装置の温調部が利用者に取り付けられた状態を示す側面図である。
【図１２】図１２は、実施例１の身体温冷装置の熱交換部が衣服に取り付けられた状態を示す側面図である。
【図１３】図１３は、比較例の身体温冷装置の温調部が利用者に取り付けられた状態を示す側面図である。
【図１４】図１４は、実施例２の身体温冷装置の右側固定部材を示す斜視図である。
【図１５】図１５は、実施例３の身体温冷装置の温調部を示す側面図である。
【図１６】図１６は、実施例４の身体温冷装置の温調部を示す側面図である。
【図１７】図１７は、実施例５の身体温冷装置の温調部を示す側面図である。
【図１８】図１８は、実施例６の身体温冷装置の温調部を示す斜視図である。
【図１９】図１９は、実施例６の身体温冷装置の温調部を示す他の斜視図である。
【図２０】図２０は、実施例６の身体温冷装置の温調部が利用者に取り付けられた状態を示す側面図である。
【発明を実施するための形態】
【０００９】
以下に、本願が開示する実施形態にかかる身体温冷装置について、図面を参照して説明する。なお、以下の記載により本開示の技術が限定されるものではない。また、以下の記載においては、同一の構成要素に同一の符号を付与し、重複する説明を省略する。
【実施例１】
【００１０】
図２は、実施例１の身体温冷装置１０を示す斜視図である。身体温冷装置１０は、温調部１１と熱交換部１２とホース部１４とを備えている。ホース部１４は、曲げることができるホースから形成され、一端が温調部１１に接合され、他端が熱交換部１２に接合されている。ホース部１４は、第１パイプ１５と第２パイプ１６と電力線１７とをホースの内部に収容している。第１パイプ１５は、温調部１１から熱交換部１２に冷却水を流す流路を形成している。第２パイプ１６は、熱交換部１２から温調部１１に冷却水を流す流路を形成している。電力線１７は、熱交換部１２から温調部１１に電力を供給する電路を形成している。
【００１１】
図３は、実施例１の身体温冷装置１０の温調部１１を示す斜視図である。温調部１１は、帯状部材２０を備えている。帯状部材２０は、屈曲した帯状に形成されている。帯状部材２０は、右側固定部材２２−１と左側固定部材２２−２と連結部２３とを備えている。右側固定部材２２−１は、帯状部材２０の一端を形成している。左側固定部材２２−２は、帯状部材２０の他端を形成している。右側固定部材２２−１と左側固定部材２２−２とは、右側固定部材２２−１に形成される右側内側面２１−１と左側固定部材２２−２に形成される左側内側面２１−２とが互いに概ね対向するように、配置されている。
【００１２】
連結部２３は、曲げることができる材料から形成され、右側固定部材２２−１と左側固定部材２２−２とを繋いでいる。連結部２３は、板バネ（図示されていない）を備えている。板バネは、連結部２３の内部に配置されている。板バネは、右側固定部材２２−１と左側固定部材２２−２とが離されたときに、弾性変形し、右側固定部材２２−１と左側固定部材２２−２とが接近するように、右側固定部材２２−１と左側固定部材２２−２とに弾性力を与える。
【００１３】
温調部１１は、右耳掛け部材２４−１と左耳掛け部材２４−２とをさらに備えている。右耳掛け部材２４−１は、右耳に引っ掛かるように、屈曲した棒状に形成されている。右耳掛け部材２４−１は、右側固定部材２２−１に固定されている。左耳掛け部材２４−２は、左耳に引っ掛かるように、屈曲した棒状に形成されている。左耳掛け部材２４−２は、左側固定部材２２−２に固定されている。
【００１４】
温調部１１は、複数の温調部材２５−１〜２５−３を備えている。複数の温調部材２５−１〜２５−３のうちの右側温調部材２５−１は、右側接触面２６−１が形成されている。右側温調部材２５−１は、右側接触面２６−１が右側内側面２１−１から露出するように、右側固定部材２２−１の内部に配置され、右側固定部材２２−１に固定されている。複数の温調部材２５−１〜２５−３のうちの左側温調部材２５−２は、左側接触面２６−２が形成されている。左側温調部材２５−２は、左側接触面２６−２が左側内側面２１−２から露出するように、左側固定部材２２−２の内部に配置され、左側固定部材２２−２に固定されている。複数の温調部材２５−１〜２５−３のうちの後側温調部材２５−３は、後側接触面２６−３が形成されている。後側温調部材２５−３は、連結部２３の後側内側面２１−３から後側接触面２６−３が露出するように、連結部２３の内部に配置され、連結部２３に固定されている。
【００１５】
このとき、右耳掛け部材２４−１と右側温調部材２５−１とが右側固定部材２２−１に固定されることにより、右側温調部材２５−１と右耳掛け部材２４−１とが固定されている。左耳掛け部材２４−２と左側温調部材２５−２とが左側固定部材２２−２に固定されることにより、左側温調部材２５−２と左耳掛け部材２４−２とが固定されている。
【００１６】
温調部１１は、右側温調部材２５−１と左側温調部材２５−２と後側温調部材２５−３とに対応する３つのペルティエ素子２７−１〜２７−３を備えている。３つのペルティエ素子２７−１〜２７−３の各々は、板状に形成され、ホース部１４の電力線１７を介して電流が供給されることにより、一方の面が吸熱し、他方の面が発熱する。３つのペルティエ素子２７−１〜２７−３の各々は、その供給される電流の極性が逆転すると、その一方の面が発熱し、他方の面が吸熱する。３つのペルティエ素子２７−１〜２７−３のうちの右側温調部材２５−１に対応する右側ペルティエ素子２７−１は、右側温調部材２５−１の内部に配置されている。３つのペルティエ素子２７−１〜２７−３のうちの左側温調部材２５−２に対応する左側ペルティエ素子２７−２は、左側温調部材２５−２の内部に配置されている。３つのペルティエ素子２７−１〜２７−３のうちの後側温調部材２５−３に対応する後側ペルティエ素子２７−３は、後側温調部材２５−３の内部に配置されている。
【００１７】
温調部１１の帯状部材２０は、ホース部１４の第２パイプ１６を介して温調部１１に供給される冷却水と、右側温調部材２５−１のうちの右側接触面２６−１の反対側の右側放熱面とを熱的に接触させている。帯状部材２０は、さらに、第２パイプ１６を介して温調部１１に供給される冷却水と左側温調部材２５−２のうちの左側接触面２６−２の反対側の左側放熱面とを熱的に接触させている。帯状部材２０は、さらに、第２パイプ１６を介して温調部１１に供給される冷却水と後側温調部材２５−３のうちの後側接触面２６−３の反対側の後側放熱面とを熱的に接触させている。帯状部材２０は、右側放熱面と左側放熱面と後側放熱面とに接触した後の冷却水を、ホース部１４の第１パイプ１５を介して熱交換部１２に送出する。
【００１８】
図４は、実施例１の身体温冷装置１０の熱交換部１２を示す斜視図である。熱交換部１２は、筐体３１とクリップ３２とを備えている。筐体３１は、底面が長方形である四角柱状に形成されている。図５は、実施例１の身体温冷装置１０の熱交換部１２を示す平面図である。筐体３１は、背面部３３と前面部３４と右側面部３５と左側面部３６と上面部３７とを備えている。背面部３３は、概ね長方形状に形成され、四角柱のうちの一方の底辺に沿うように配置されている。前面部３４は、概ね長方形状に形成され、四角柱のうちの他方の底辺に沿うように配置されている。右側面部３５は、概ね長方形状に形成され、四角柱のうちの１つの側面となっている。左側面部３６は、概ね長方形状に形成され、四角柱のうちの右側面部３５の反対側の側面となっている。上面部３７は、概ね長方形状に形成され、右側面部３５、左側面部３６、背面部３３および前面部３４を四角柱の側面とした場合の一方の底面となるように配置されている。
【００１９】
クリップ３２は、背面部３３に支持されている。クリップ３２は、背面部３３が衣服の一部に対向するように、筐体３１を衣服の一部に保持する。衣服の一部としては、胸ポケット、ベルトが例示される。
【００２０】
上面部３７は、上側吸込み口４１と上側吹き出し口４２と接続口４３とが形成されている。上側吸込み口４１は、上面部３７のうちの背面部３３に隣接する領域に形成されている。上側吹き出し口４２は、上面部３７のうちの前面部３４に隣接する領域に形成されている。すなわち、上側吸込み口４１は、上側吹き出し口４２より背面部３３に近い側に配置されている。接続口４３は、上側吸込み口４１と上側吹き出し口４２との間に形成されている。接続口４３は、ホース部１４の端が接合され、ホース部１４の第１パイプ１５と第２パイプ１６と電力線１７とが貫通する。
【００２１】
図６は、実施例１の身体温冷装置１０の熱交換部１２を示す右側面図である。右側面部３５は、右側面吸込み口４４と右側面吹き出し口４５とが形成されている。右側面吸込み口４４は、右側面部３５のうちの背面部３３に隣接する領域に形成されている。右側面吹き出し口４５は、右側面部３５のうちの前面部３４に隣接する領域に形成されている。すなわち、右側面吸込み口４４は、右側面吹き出し口４５より背面部３３に近い側に配置されている。
【００２２】
図７は、実施例１の身体温冷装置１０の熱交換部１２を示す左側面図である。左側面部３６は、左側面吸込み口４６と左側面吹き出し口４７とが形成されている。左側面吸込み口４６は、左側面部３６のうちの背面部３３に隣接する領域に形成されている。左側面吹き出し口４７は、左側面部３６のうちの前面部３４に隣接する領域に形成されている。すなわち、左側面吸込み口４６は、左側面吹き出し口４７より背面部３３に近い側に配置されている。
【００２３】
図８は、実施例１の身体温冷装置１０の熱交換部１２を示す正面図である。熱交換部１２は、入力装置４８と出力装置４９とをさらに備えている。入力装置４８は、複数のボタンスイッチから形成され、前面部３４に形成された複数の貫通孔から一部が露出するように、筐体３１の内部に配置されている。出力装置４９は、複数のＬＥＤランプから形成され、前面部３４に形成された複数の貫通孔から一部が露出するように、筐体３１の内部に配置されている。
【００２４】
熱交換部１２は、図９に示されているように、バッテリ５１と送風機５２とポンプ５３と熱交換器５４とをさらに備えている。図９は、実施例１の身体温冷装置１０の熱交換部１２の筐体３１の内部を示す斜視図である。バッテリ５１は、筐体３１の内部のうちの上面部３７から遠い側の下部領域に配置されている。バッテリ５１は、直流の電流を供給する。
【００２５】
送風機５２は、筐体３１の内部のうちの上面部３７に近い側の上部領域に配置されている。送風機５２は、ファン５５とモータ５６とを備えている。ファン５５は、背面部３３に沿う平面に垂直である回転軸を中心に回転可能に支持されている。モータ５６は、バッテリ５１から供給される電力を用いてファン５５を回転させる。送風機５２は、ファン５５が回転することにより、筐体３１の内部に空気の流れを生成する。送風機５２は、筐体３１の内部に空気の流れを生成することにより、上側吸込み口４１と右側面吸込み口４４と左側面吸込み口４６とから筐体３１の外部の空気を筐体３１の内部に吸い込む。送風機５２は、筐体３１の内部に空気の流れを生成することにより、さらに、その吸い込まれた空気を上側吹き出し口４２と右側面吹き出し口４５と左側面吹き出し口４７とから筐体３１の外部に吹き出す。
【００２６】
ポンプ５３は、筐体３１の内部のうちの下部領域と上部領域との間の中間領域に配置されている。ポンプ５３は、バッテリ５１から供給される電力を用いて、冷却水を温調部１１と熱交換部１２との間で循環させる。すなわち、ポンプ５３は、バッテリ５１から供給される電力を用いて、ホース部１４の第１パイプ１５を介して冷却水を温調部１１から熱交換部１２に吸引し、ホース部１４の第２パイプ１６を介して冷却水を熱交換部１２から温調部１１に送出する。
【００２７】
熱交換器５４は、送風機５２により筐体３１の内部を流れる空気が熱交換器５４を通過するように、筐体３１の内部の上部領域のうちの送風機５２と背面部３３との間に配置されている。熱交換器５４は、水管と複数のフィンとを備えている。水管は、一端がホース部１４の第１パイプ１５に接合され、他端がホース部１４の第２パイプ１６に接合されている。複数のフィンは、送風機５２により熱交換器５４を通過する空気と、ポンプ５３により循環される冷却水が流れる水管とに熱的に接触している。熱交換器５４は、送風機５２により熱交換器５４を通過する空気と、ポンプ５３により熱交換器５４を通過する冷却水との間の熱交換を行う。
【００２８】
身体温冷装置１０は、図１０に示されているように、制御装置６１をさらに備えている。図１０は、実施例１の身体温冷装置１０を示すブロック図である。制御装置６１は、コンピュータであり、ＣＰＵ６２（Ｃｅｎｔｒａｌ  Ｐｒｏｃｅｓｓｉｎｇ  Ｕｎｉｔ）と記憶装置６３と入出力インタフェース６４とを備えている。ＣＰＵ６２は、制御装置６１にインストールされたコンピュータプログラムを実行することにより、記憶装置６３と入出力インタフェース６４とを制御する。記憶装置６３は、制御装置６１にインストールされるコンピュータプログラムを記録し、ＣＰＵ６２により利用される情報を記録する。入出力インタフェース６４は、身体温冷装置１０に設けられる複数のデバイスに接続されている。複数のデバイスは、右側温調部材２５−１と左側温調部材２５−２と後側温調部材２５−３と送風機５２とポンプ５３とを含んでいる。ＣＰＵ６２は、入出力インタフェース６４を介して、複数のデバイスを制御する。
【００２９】
［身体温冷装置１０の動作］
温調部１１は、身体温冷装置１０を用いて利用者６８の体温を調節するときに、図１１に示されているように、利用者６８の身体に取り付けられる。図１１は、実施例１の身体温冷装置１０の温調部１１が利用者６８に取り付けられた状態を示す側面図である。帯状部材２０は、右側固定部材２２−１と左側固定部材２２−２との間の距離が利用者６８の首の幅より大きくなるように連結部２３が変形した状態で、首の周囲を囲むように、配置される。帯状部材２０は、さらに、利用者６８の首の後に後側温調部材２５−３の後側接触面２６−３が接触するように、配置される。帯状部材２０は、さらに、利用者６８の首の皮膚のうちの右頸動脈を覆う右頸動脈部分に右側温調部材２５−１の右側接触面２６−１が接触し、皮膚のうちの左頸動脈を覆う左頸動脈部分に左側温調部材２５−２の左側接触面２６−２が接触するように、配置される。このとき、連結部２３の板バネは、右側温調部材２５−１と左側温調部材２５−２とが首を挟むように、右側温調部材２５−１と左側温調部材２５−２とに弾性力を与える。帯状部材２０は、連結部２３の板バネの弾性力により、右側温調部材２５−１の右側接触面２６−１を右頸動脈部分に適切に接触させ、左側温調部材２５−２の左側接触面２６−２を左頸動脈部分に適切に接触させることができる。
【００３０】
温調部１１は、さらに、右耳掛け部材２４−１が利用者６８の右耳６９に引っ掛けられ、左耳掛け部材２４−２が利用者６８の図示しない左耳に引っ掛けられることにより、利用者６８の身体に取り付けられる。温調部１１は、右耳掛け部材２４−１が右耳６９に引っ掛けられることにより、右側温調部材２５−１が下向にずれ落ちることが防止され、右側温調部材２５−１の右側接触面２６−１を右頸動脈部分に適切に接触させることができる。温調部１１は、左耳掛け部材２４−２が左耳に引っ掛けられることにより、左側温調部材２５−２が下向にずれ落ちることが防止され、左側温調部材２５−２の左側接触面２６−２を左頸動脈部分に適切に接触させることができる。
【００３１】
熱交換部１２は、身体温冷装置１０を用いて利用者６８の体温を調節するときに、図１２に示されているように、利用者６８が着用する衣服７１に保持される。図１２は、実施例１の身体温冷装置１０の熱交換部１２が衣服７１に取り付けられた状態を示す側面図である。熱交換部１２は、筐体３１の背面部３３が衣服７１に対向するように、配置される。衣服７１は、衣服７１を利用者６８の身体に固定させたり衣服７１のずれを防いだりするベルト７２を備えている。筐体３１は、背面部３３が衣服７１に対向している状態で、クリップ３２がベルト７２を挟むことにより衣服７１に支持される。
【００３２】
身体温冷装置１０は、入力装置４８が操作されることにより起動する。制御装置６１は、身体温冷装置１０が起動された後に、入力装置４８が操作されることにより、設定温度を設定し、その設定温度を記憶装置６３に記録する。制御装置６１は、入力装置４８が操作されることにより、利用者６８の体温の調節を開始する。制御装置６１は、利用者６８の体温の調節が開始されると、送風機５２を制御することにより、筐体３１の内部に空気の流れを生成する。熱交換部１２は、筐体３１の内部に空気の流れが生成されることにより、上側吸込み口４１と右側面吸込み口４４と左側面吸込み口４６とを介して、筐体３１の外部の空気を筐体３１の内部に吸い込む。熱交換部１２は、筐体３１の内部に空気の流れが生成されることにより、さらに、上側吹き出し口４２と右側面吹き出し口４５と左側面吹き出し口４７とを介して、筐体３１の内部の空気を筐体３１の外部に吹き出す。制御装置６１は、利用者６８の体温の調節が開始されると、さらに、ポンプ５３を制御することにより、ホース部１４を介して温調部１１と熱交換部１２との間で冷却水を循環させる。ペルティエ素子の接触面の温度は、供給する電流の大きさから推定するようにしても良いし、ペルティエ素子の接触面に設けられた温度センサによって検出されてもよい。
【００３３】
制御装置６１は、送風機５２とポンプ５３とが運転しているときに、入出力インタフェース６４を介して、右側温調部材２５−１の右側接触面２６−１の温度が所定の設定温度に等しくなるように、右側ペルティエ素子２７−１に所定の電流を供給する。制御装置６１は、右側温調部材２５−１と同様に、入出力インタフェース６４を介して、左側温調部材２５−２の左側接触面２６−２の温度が設定温度に等しくなるように、左側ペルティエ素子２７−２に所定の電流を供給する。制御装置６１は、右側温調部材２５−１と同様に、入出力インタフェース６４を介して、後側温調部材２５−３の後側接触面２６−３の温度が設定温度に等しくなるように、後側ペルティエ素子２７−３に所定の電流を供給する。
【００３４】
たとえば、制御装置６１は、右側温調部材２５−１の右側接触面２６−１の温度が設定温度より高いときに、右側ペルティエ素子２７−１のうちの右側接触面２６−１に近い側の面が吸熱するように、右側ペルティエ素子２７−１に電流を適切に供給する。右側温調部材２５−１の右側接触面２６−１は、右側ペルティエ素子２７−１のうちの右側接触面２６−１に近い側の面が吸熱することにより、冷却される。制御装置６１は、左側接触面２６−２の温度と後側接触面２６−３の温度とが設定温度より高いときに、左側ペルティエ素子２７−２と後側ペルティエ素子２７−３とに電流を適切に供給することにより、左側接触面２６−２と後側接触面２６−３とを冷却する。身体温冷装置１０は、右側接触面２６−１と左側接触面２６−２とが冷却されることにより、利用者６８の頸動脈を設定温度に応じて冷却することができる。利用者６８は、頸動脈が冷却されることにより、頸動脈を流れる血液が適切に冷却され、体温が低下する。
【００３５】
右側ペルティエ素子２７−１は、右側接触面２６−１に近い側の面が吸熱するときに、右側接触面２６−１から遠い側の面が発熱する。右側温調部材２５−１のうちの右側接触面２６−１の反対側の右側放熱面は、右側ペルティエ素子３７−１のうちの右側接触面２６−１から遠い側の面が発熱することにより、身体温冷装置１０が配置される環境の空気の温度より高い温度に加熱されればよい。身体温冷装置１０が配置される環境の空気の温度は、温調部１１あるいは熱交換部１２に外気温センサを設けることで検出するようにすればよい。右側温調部材２５−１の右側放熱面は、ホース部１４を介して熱交換部１２から温調部１１に供給された冷却水に熱的に接触していることにより、冷却水により冷却される。右側ペルティエ素子３７−１は、一方の面が吸熱しているときに、他方の面の放熱が十分行われないと、一方の面を冷却する効率が低下する。右側ペルティエ素子３７−１は、右側温調部材２５−１の右側放熱面が冷却されることによりペルティエ素子の他方の面の放熱が促進されて、冷却効率の低下を防止することができる。
【００３６】
熱交換部１２から温調部１１に供給された冷却水は、右側接触面２６−１の右側放熱面により、身体温冷装置１０が配置される環境の空気の温度より高い温度に加熱される。その加熱された高温の冷却水は、ホース部１４を介して熱交換部１２に供給される。温調部１１から熱交換部１２に供給された高温の冷却水は、上側吸込み口４１と右側面吸込み口４４と左側面吸込み口４６とから筐体３１の内部に吸い込まれた空気により、冷却される。その冷却された冷却水は、ホース部１４を介して温調部１１に供給される。筐体３１の内部に吸い込また空気は、温調部１１から熱交換部１２に供給された高温の冷却水により、加熱される。その加熱された空気は、上側吹き出し口４２と右側面吹き出し口４５と左側面吹き出し口４７とから筐体３１の外部に吹き出される。
【００３７】
たとえば、制御装置６１は、右側温調部材２５−１の右側接触面２６−１の温度が設定温度より低いときに、右側ペルティエ素子２７−１のうちの右側接触面２６−１に近い側の面が発熱するように、右側ペルティエ素子２７−１に電流を適切に供給する。すなわち、制御装置６１は、右側接触面２６−１の温度が設定温度より低いときに、右側ペルティエ素子２７−１が右側接触面２６−１を冷却するときと逆の電流が右側ペルティエ素子２７−１に流れるように、右側ペルティエ素子２７−１に電流を供給する。右側温調部材２５−１の右側接触面２６−１は、右側ペルティエ素子２７−１のうちの右側接触面２６−１に近い側の面が発熱することにより、加熱される。制御装置６１は、左側接触面２６−２の温度と後側接触面２６−３の温度とが設定温度より低いときに、左側ペルティエ素子２７−２と後側ペルティエ素子２７−３とに電流を適切に供給することにより、左側接触面２６−２と後側接触面２６−３とを加熱する。身体温冷装置１０は、右側接触面２６−１と左側接触面２６−２とが加熱されることにより、利用者６８の頸動脈を設定温度に応じて加熱することができる。利用者６８は、頸動脈が加熱されることにより、頸動脈を流れる血液が適切に加熱され、体温が上昇する。
【００３８】
右側ペルティエ素子２７−１は、右側接触面２６−１に近い側の面が発熱するときに、右側接触面２６−１から遠い側の面が吸熱する。右側温調部材２５−１のうちの右側接触面２６−１の反対側の右側放熱面は、右側ペルティエ素子３７−１のうちの右側接触面２６−１から遠い側の面が吸熱する。身体温冷装置１０が配置される環境の空気の温度が右側接触面２６−１から遠い側の面より低い場合は、右側温調部材２５−１の右側放熱面は、ホース部１４を介して熱交換部１２から温調部１１に供給された冷却水に熱的に接触していることにより、冷却水により加熱される。身体温冷装置１０が配置される環境の空気の温度が右側接触面２６−１から遠い側の面より高い場合は、冷却水を循環させる必要はない。
【００３９】
上側吸込み口４１と右側面吸込み口４４と左側面吸込み口４６とは、右側面部３５と左側面部３６と上面部３７とに形成されていることにより、衣服７１により塞がれ難く、塞がれることを防止することができる。熱交換部１２は、上側吸込み口４１と右側面吸込み口４４と左側面吸込み口４６とが塞がれることが防止されることにより、筐体３１の内部に空気の流れを適切に生成することができ、熱交換器５４が熱交換を適切に行うことができる。身体温冷装置１０は、熱交換器５４が熱交換を適切に行うことにより、利用者６８の体温を適切に調節することができる。
【００４０】
筐体３１の内部では、モータ５６のモータ音、ファン５５の風切り音に例示される騒音が発生している。身体温冷装置１０は、前面部３４に大きな開口部が形成されていないことにより、その騒音が前面部３４の側に漏れることを防止することができ、前面部３４が対向する側に向かって拡散する騒音の程度を低減することができる。
【００４１】
熱交換部１２は、上側吹き出し口４２と右側面吹き出し口４５と左側面吹き出し口４７とから空気が吹き出されることにより、その吹き出される空気をより広い空間に拡散させることができる。身体温冷装置１０は、吹き出される空気が広い空間に拡散されることにより、吹き出される空気の流れが利用者のそばに配置される他の物体に与える力を低減することができる。たとえば、実施形態の身体温冷装置１０は、利用者のそばに配置される他の物体が吹き飛ばされることを防止することができ、熱交換部１２から吹き出される空気が当たる他人の不快感を低減することができる。
【００４２】
上側吸込み口４１と右側面吸込み口４４と左側面吸込み口４６とは、上側吹き出し口４２と右側面吹き出し口４５と左側面吹き出し口４７とより背面部３３に近い側に配置されている。身体温冷装置１０は、熱交換器５４により伝熱が行われた空気により背面部３３の温度が変化することを防止することができ、利用者６８の不快感を低減することができる。
【００４３】
身体温冷装置１０は、右耳掛け部材２４−１と左耳掛け部材２４−２とが利用者６８の両耳に引っ掛けられることにより、右側温調部材２５−１と左側温調部材２５−２とが下側にずれ落ちることを防止することができる。身体温冷装置１０は、右側温調部材２５−１と左側温調部材２５−２とが下側にずり落ちることが防止されることにより、利用者６８の頸動脈の温度を適切に調節することができ、利用者６８の体温を適切に調節することができる。
【００４４】
比較例の身体温冷装置は、図１３に示されているように、既述の実施例１の身体温冷装置１０の温調部１１が他の温調部１０１に置換され、他の部分は既述の実施例１の身体温冷装置１０と同じである。図１３は、比較例の身体温冷装置の温調部１０１が利用者６８に取り付けられた状態を示す側面図である。温調部１０１は、既述の温調部１１から右耳掛け部材２４−１と左耳掛け部材２４−２とが省略されている。温調部１０１は、右耳掛け部材２４−１が省略されていることにより、右側固定部材２２−１が下方にずれ落ち、右側温調部材２５−１が右頸動脈部分から外れることがある。左側温調部材２５−２は、右側温調部材２５−１と同様に、左耳掛け部材２４−２が省略されていることにより、左頸動脈部分から外れることがある。比較例の身体温冷装置は、右側温調部材２５−１が右頸動脈部分から外れることにより、利用者６８の体温を適切に調節することができなくなることがある。
【００４５】
実施例１の身体温冷装置１０は、右耳掛け部材２４−１と左耳掛け部材２４−２とが設けられていることにより、比較例の身体温冷装置に比較して、右側温調部材２５−１と左側温調部材２５−２とがずれ落ちることを防止することができる。実施例１の身体温冷装置１０は、右側温調部材２５−１と左側温調部材２５−２とがずれ落ちることが防止されることにより、利用者６８の頸動脈の温度を適切に調節することができ、利用者６８の体温を適切に調節することができる。
【００４６】
［実施例１の身体温冷装置１０の効果］
実施例１の身体温冷装置１０は、右側温調部材２５−１と右耳掛け部材２４−１と右側固定部材２２−１とを備えている。右側温調部材２５−１は、利用者６８の右頸動脈の温度を調節する。右耳掛け部材２４−１は、利用者６８の右耳６９に支持される。右側固定部材２２−１は、右頸動脈に対して所定の位置に右側温調部材２５−１が保持されるように、右耳掛け部材２４−１に右側温調部材２５−１を固定する。このような身体温冷装置１０は、右側温調部材２５−１が右耳６９に対して固定されることにより、右側温調部材２５−１がずれ落ちにくく、右頸動脈の温度を適切に調節することができる。
【００４７】
実施例１の身体温冷装置１０は、左側温調部材２５−２と左耳掛け部材２４−２と左側固定部材２２−２とを備えている。左側温調部材２５−２は、利用者６８の左頸動脈の温度を調節する。左耳掛け部材２４−２は、利用者６８の左耳に支持される。左側固定部材２２−２は、左頸動脈に対して所定の位置に左側温調部材２５−２が保持されるように、左耳掛け部材２４−２に左側温調部材２５−２を固定する。このような身体温冷装置１０は、左側温調部材２５−２が左耳に対して固定されることにより、左側温調部材２５−２がずれ落ちにくく、左頸動脈の温度を適切に調節することができる。実施例１の身体温冷装置１０は、右耳掛け部材２４−１と左耳掛け部材２４−２とが設けられていることにより、右側温調部材２５−１と左側温調部材２５−２との両方がずれ落ちにくく、右左頸動脈と左頸動脈との両方の温度を適切に調節することができる。
【００４８】
また、実施例１の身体温冷装置１０は、右側温調部材２５−１と前記左側温調部材２５−２とが首を挟むように前記右側温調部材２５−１と前記左側温調部材２５−２とに弾性力を与える連結部２３をさらに備えている。このような身体温冷装置１０は、右側温調部材２５−１と左側温調部材２５−２とを利用者６８の右頸動脈部分と左頸動脈部分とにそれぞれ適切に接触させることができる。身体温冷装置１０は、右側温調部材２５−１と左側温調部材２５−２とが首の皮膚の所定の部分に適切に接触することにより、頸動脈の温度を適切に調節することができる。
【００４９】
ところで、実施例１の身体温冷装置１０の筐体３１は、底面が長方形である四角柱に形成され、背面部３３と前面部３４とが２つの平行面それぞれ沿うように形成されているが、背面部３３と前面部３４とが平行でない２つの平面に沿うように形成されてもよい。また底面の形状は方形に限るものではなく、円や楕円等で形成されてもよい。筐体３１は、さらに、右側面部３５と左側面部３６とが２つの平行面それぞれ沿うように形成されているが、右側面部３５と左側面部３６とが平行でない２つの平面に沿うように形成されてもよい。上側吸込み口４１と右側面吸込み口４４と左側面吸込み口４６とは、筐体３１がこのように形成された場合でも、筐体３１が取り付けられる利用者６８に沿う方向に空気を吸い込むことができる。上側吹き出し口４２と右側面吹き出し口４５と左側面吹き出し口４７とは、筐体３１がこのように形成された場合でも、筐体３１が取り付けられる利用者６８に沿う方向に空気を吹き出すことができる。背面部３３と前面部３４とは、筐体３１がこのように形成された場合でも、開口部の面積を低減することができる。このため、身体温冷装置１０は、筐体３１がこのように形成された場合でも、既述の実施例１の身体温冷装置１０と同様に、筐体３１の内部から前面部３４の側に漏れる騒音を低減することができる。
【実施例２】
【００５０】
実施例２の身体温冷装置は、図１４に示されているように、既述の実施例１の身体温冷装置１０の右側固定部材２２−１が他の右側固定部材８１に置換され、左側固定部材２２−２が他の左側固定部材に置換されている。図１４は、実施例２の身体温冷装置の右側固定部材８１を示す斜視図である。実施例２の身体温冷装置のうちの右側固定部材２２−１と左側固定部材２２−２と異なる他の部分は、既述の実施例１の身体温冷装置１０と同じである。右側固定部材８１は、右側固定部材本体８２と右側ピン８３とを備えている。右側温調部材２５−１は、右側固定部材本体８２のうちの左側固定部材に対向する右側内側面から右側接触面２６−１が露出するように、右側固定部材本体８２の内部に配置され、右側固定部材本体８２に固定されている。右側固定部材本体８２は、複数の右側穴８４−１〜８４−３が形成されている。
【００５１】
右側ピン８３は、右耳掛け部材２４−１に固定されている。右側ピン８３は、複数の右側穴８４−１〜８４−３の各々に嵌合することにより、右側固定部材本体８２に固定される。右側温調部材２５−１は、右側ピン８３が複数の右側穴８４−１〜８４−３のうちの第１右側穴８４−１に嵌合することにより、右耳掛け部材２４−１に対する第１右側位置に配置され、右耳掛け部材２４−１に固定される。右側温調部材２５−１は、右側ピン８３が複数の右側穴８４−１〜８４−３のうちの第２右側穴８４−２に嵌合することにより、右耳掛け部材２４−１に対する第２右側位置に配置され、右耳掛け部材２４−１に固定される。第２右側位置は、第１右側位置と異なっている。右側温調部材２５−１は、右側ピン８３が複数の右側穴８４−１〜８４−３のうちの第３右側穴８４−３に嵌合することにより、右耳掛け部材２４−１に対する第３右側位置に配置され、右耳掛け部材２４−１に固定される。第３右側位置は、第１右側位置と異なり、第２右側位置と異なっている。
【００５２】
左側固定部材は、右側固定部材８１と同様に、左側固定部材本体と左側ピンとを備えている。左側固定部材本体は、右側固定部材本体８２と同様に、左側温調部材２５−２に固定され、複数の左側穴が形成されている。左側ピンは、左耳掛け部材２４−２に固定され、左側固定部材本体の複数の左側穴の各々に嵌合することにより、左側固定部材本体に固定される。左側温調部材２５−２は、左側ピンが複数の左側穴のうちの第１左側穴に嵌合することにより、左耳掛け部材２４−２に対する第１左側位置に配置され、左耳掛け部材２４−２に固定される。左側温調部材２５−２は、左側ピンが複数の左側穴のうちの第２左側穴に嵌合することにより、左耳掛け部材２４−２に対する第２左側位置に配置され、左耳掛け部材２４−２に固定される。第２左側位置は、第１左側位置と異なっている。左側温調部材２５−２は、左側ピンが複数の左側穴のうちの第３左側穴に嵌合することにより、左耳掛け部材２４−２に対する第３左側位置に配置され、左耳掛け部材２４−２に固定される。第３左側位置は、第１左側位置と異なり、第２左側位置と異なっている。
【００５３】
右耳に対する右頸動脈の位置と左耳に対する左頸動脈の位置とは、個体差がある。実施例２の身体温冷装置は、右側ピン８３を複数の右側穴８４−１〜８４−３のうちの適切な右側穴に嵌合させることにより、右側温調部材２５−１を右頸動脈部分に適切に接触させることができる。実施例２の身体温冷装置は、さらに、左側ピンを複数の左側穴のうちの適切な左側穴に嵌合させることにより、左側温調部材２５−２を左頸動脈部分に適切に接触させることができる。実施例２の身体温冷装置は、右側温調部材２５−１と左側温調部材２５−２とが頸動脈部分に適切に接触することにより、頸動脈の温度を適切に調節することができる。
【実施例３】
【００５４】
実施例３の身体温冷装置は、図１５に示されているように、既述の実施例１の身体温冷装置１０の温調部１１に突起部９１が追加され、他の部分は既述の実施例１の身体温冷装置１０と同じである。図１５は、実施例３の身体温冷装置の温調部を示す側面図である。突起部９１は、右耳掛け部材２４−１のうちの右側固定部材２２−１に接合されている端の反対側の端に接合されている。突起部９１は、脈拍センサ９２と音響装置９３とを備えている。脈拍センサ９２と音響装置９３とは、突起部９１に固定されている。脈拍センサ９２は、突起部９１が右耳６９の穴に入っているときに、利用者６８の脈拍を検出する。音響装置９３は、イヤホンであり、制御装置６１に制御されることにより、音声を出力する。
【００５５】
実施例３の身体温冷装置の温調部は、既述の温調部１１と同様に利用者６８に取り付けられた後に、さらに、突起部９１が右耳６９の穴に入れられることにより、利用者６８に適切に取り付けられる。突起部９１は、右耳掛け部材２４−１に接合されることにより、実施例３の身体温冷装置の温調部が利用者６８に適切に取り付けられるときに、右耳６９の穴から外れないように、右耳６９に適切に保持されることができる。脈拍センサ９２は、突起部９１が右耳６９に適切に保持されることにより、利用者６８の脈拍を確実に検出することができる。このとき、実施例３の身体温冷装置は、脈拍センサ９２により検出された脈拍に基づいて複数の温調部材２５−１〜２５−３を制御することにより、利用者６８の体調に応じて体温を調節することができる。音響装置９３は、突起部９１が右耳６９に適切に保持されることにより、音声を確実に利用者６８に聞かせることができる。このとき、実施例３の身体温冷装置は、さらに、音響装置９３を介して所定の情報を確実に利用者６８に通知することができる。
【００５６】
なお、突起部９１は、脈拍センサ９２を備えているが、脈拍と異なる他の生体情報を検出する他の生体センサを備えてもよい。その生体情報としては、利用者６８の体温が例示される。またこれらの生体センサは必ずしも突起部９１に設けられている必要は無く、利用者の身体に接触する温調部１１に設けられていても良い。
【実施例４】
【００５７】
実施例４の身体温冷装置は、図１６に示されているように、既述の実施例１の身体温冷装置１０の右耳掛け部材２４−１と左耳掛け部材２４−２とが他の頭頂支持部材９５に置換され、他の部分は既述の実施例１の身体温冷装置１０と同じである。図１６は、実施例４の身体温冷装置の温調部を示す側面図である。頭頂支持部材９５は、曲げることができる帯から形成され、一端が右側固定部材２２−１に接合され、他端が左側固定部材２２−２に接合されている。
【００５８】
実施例４の身体温冷装置の温調部は、右側固定部材２２−１と左側固定部材２２−２とが利用者６８に適切に取り付けられた後に、さらに、頭頂支持部材９５が利用者６８の頭頂部に引っ掛けられることにより、利用者６８に適切に取り付けられる。実施例４の身体温冷装置の温調部は、頭頂支持部材９５が利用者６８の頭頂部に支持されることにより、右側温調部材２５−１と左側温調部材２５−２とが利用者６８の頭蓋骨に保持される。実施例４の身体温冷装置の温調部は、右側温調部材２５−１と左側温調部材２５−２とが利用者６８の頭蓋骨に保持されることにより、右側温調部材２５−１と左側温調部材２５−２とがずれ落ちることを防止することができる。
【実施例５】
【００５９】
図１７は、実施例５の身体温冷装置の温調部を示す側面図である。実施例５の身体温冷装置は、既述の実施例１の身体温冷装置１０の右耳掛け部材２４−１と左耳掛け部材２４−２とが他の右側帽子支持部材９６と左側帽子支持部材とに置換され、他の部分は既述の実施例１の身体温冷装置１０と同じである。右側帽子支持部材９６は、曲げることができる帯から形成され、一端が右側固定部材２２−１に接合され、他端が帽子９７に接合されている。左側帽子支持部材は、右側帽子支持部材９６と同様に、曲げることができる帯から形成され、一端が左側固定部材２２−２に接合され、他端が帽子９７に接合されている。
【００６０】
右側帽子支持部材９６は、右側固定部材２２−１と左側固定部材２２−２とが利用者６８に適切に取り付けられた後に、利用者６８が被る帽子９７に端が接合される。左側帽子支持部材は、右側帽子支持部材９６と同様に、右側固定部材２２−１と左側固定部材２２−２とが利用者６８に適切に取り付けられた後に、利用者６８が被る帽子９７に端が接合される。実施例５の身体温冷装置の温調部は、右側帽子支持部材９６と左側帽子支持部材とが帽子９７に接合されることにより、利用者６８に適切に取り付けられる。実施例５の身体温冷装置の温調部は、右側帽子支持部材９６と左側帽子支持部材とが利用者６８の頭頂部に支持されることにより、右側温調部材２５−１と左側温調部材２５−２とが利用者６８の頭蓋骨に保持される。実施例５の身体温冷装置の温調部は、右側温調部材２５−１と左側温調部材２５−２とが利用者６８の頭蓋骨に保持されることにより、右側温調部材２５−１と左側温調部材２５−２とがずれ落ちることを防止することができる。
【実施例６】
【００６１】
実施例６の身体温冷装置は、図１８に示されているように、既述の実施例１の身体温冷装置１０の温調部１１が他の温調部１１０に置換され、他の部分は既述の実施例１の身体温冷装置１０と同じである。図１８は、実施例６の身体温冷装置の温調部１１０を示す斜視図である。温調部１１０は、既述の温調部１１の右耳掛け部材２４−１と左耳掛け部材２４−２とが省略され、帯状部材２０が他の帯状部材１１１に置換され、他の部分は既述の温調部１１と同じである。帯状部材１１１は、曲げることができる材料から形成され、帯状に形成されている。帯状部材１１１は、塑性変形する棒材が内部に配置されている。その棒材としては、鉛から形成される棒材が例示される。このため、帯状部材１１１は、所定の形状に変形させることにより塑性変形し、その形状に形成させることができる。
【００６２】
図１９は、実施例６の身体温冷装置の温調部１１０を示す他の斜視図である。温調部１１０は、右鎖骨載置部材１１２−１と左鎖骨載置部材１１２−２とを備えている。右鎖骨載置部材１１２−１は、帯状部材１１１の一端に沿うように、かつ、帯状部材１１１のうちの一方の面に沿うように、配置され、帯状部材１１１に固定されている。左鎖骨載置部材１１２−２は、帯状部材１１１の他端に沿うように、かつ、帯状部材１１１のうちの右鎖骨載置部材１１２−１が沿う一方の面に沿うように、配置され、帯状部材１１１に固定されている。
【００６３】
このとき、右側温調部材２５−１は、帯状部材１１１のうちの右鎖骨載置部材１１２−１が接合される側の端に配置され、帯状部材１１１のうちの右鎖骨載置部材１１２−１が接合される側の面に右側接触面２６−１が露出するように配置されている。右側温調部材２５−１は、帯状部材１１１に固定され、すなわち、帯状部材１１１を介して右鎖骨載置部材１１２−１に固定されている。左側温調部材２５−２は、帯状部材１１１のうちの左鎖骨載置部材１１２−２が接合される側の端に配置され、帯状部材１１１のうちの左鎖骨載置部材１１２−２が接合される側の面に左側接触面２６−２が露出するように配置されている。左側温調部材２５−２は、帯状部材１１１に固定され、すなわち、帯状部材１１１を介して左鎖骨載置部材１１２−２に固定されている。
【００６４】
図２０は、実施例６の身体温冷装置の温調部１１０が利用者６８に取り付けられた状態を示す側面図である。帯状部材１１１は、右鎖骨載置部材１１２−１が利用者６８の右鎖骨に載置されるように、かつ、左鎖骨載置部材１１２−２が利用者６８の左鎖骨に載置されるように、塑性変形される。帯状部材１１１は、右鎖骨載置部材１１２−１と左鎖骨載置部材１１２−２とが鎖骨に載置されるときに、利用者６８の右頸動脈部分に右側温調部材２５−１の右側接触面２６−１が接触するように、塑性変形される。帯状部材１１１は、右鎖骨載置部材１１２−１と左鎖骨載置部材１１２−２とが鎖骨に載置されるときに、さらに、利用者６８の左頸動脈部分に左側温調部材２５−２の左側接触面２６−２が接触するように、塑性変形される。温調部１１０は、帯状部材１１１が塑性変形された後に、右側接触面２６−１と左側接触面２６−２とが右頸動脈部分と左頸動脈部分とに接触するように、右鎖骨載置部材１１２−１と左鎖骨載置部材１１２−２とが鎖骨に載置され、利用者６８に取り付けられる。
【００６５】
温調部１１０は、このように取り付けられることにより、比較例の身体温冷装置の温調部１０１に比較して、右側温調部材２５−１と左側温調部材２５−２とが下向にずれ落ちることを防止することができる。温調部１１０は、右側接触面２６−１と左側接触面２６−２とを右頸動脈部分と左頸動脈部分とに適切に接触させることができる。実施例６の身体温冷装置は、右側接触面２６−１と左側接触面２６−２とが右頸動脈部分と左頸動脈部分とに適切に接触することにより、既述の実施例の身体温冷装置と同様に、利用者６８の体温を適切に調節することができる。
【００６６】
温調部１１０は、利用者６８に取り付けられるときに、右耳掛け部材２４−１と左耳掛け部材２４−２とを両耳に引っ掛ける動作が不要であり、既述の実施例１の身体温冷装置１０に比較して、利用者６８に容易に取り付けられることができる。温調部１１０は、右耳掛け部材２４−１と左耳掛け部材２４−２とが省略されていることにより、温調部１１０が取り付けられていることが他人から判りにくく、既述の実施例の身体温冷装置に比較して、意匠性に優れている。
【００６７】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００６８】
１０    ：身体温冷装置
１１    ：温調部
１２    ：熱交換部
１４    ：ホース部
２０    ：帯状部材
２２−１：右側固定部材
２２−２：左側固定部材
２３    ：連結部
２４−１：右耳掛け部材
２４−２：左耳掛け部材
２５−１〜２５−３：複数の温調部材
６８    ：利用者
６９    ：右耳
８１    ：右側固定部材
８２    ：右側固定部材本体
８３    ：右側ピン
８４−１〜８４−３：複数の右側穴
９１    ：突起部
９２    ：脈拍センサ
９３    ：音響装置
９５    ：頭頂支持部材
９６    ：右側帽子支持部材
９７    ：帽子
１１０  ：温調部
１１１  ：帯状部材
１１２−１：右鎖骨載置部材
１１２−２：左鎖骨載置部材
【図１】
2020058738.tif 000003
【図２】
2020058738.tif 000004
【図３】
2020058738.tif 000005
【図４】
2020058738.tif 000006
【図５】
2020058738.tif 000007
【図６】
2020058738.tif 000008
【図７】
2020058738.tif 000009
【図８】
2020058738.tif 000010
【図９】
2020058738.tif 000011
【図１０】
2020058738.tif 000012
【図１１】
2020058738.tif 000013
【図１２】
2020058738.tif 000014
【図１３】
2020058738.tif 000015
【図１４】
2020058738.tif 000016
【図１５】
2020058738.tif 000017
【図１６】
2020058738.tif 000018
【図１７】
2020058738.tif 000019
【図１８】
2020058738.tif 000020
【図１９】
2020058738.tif 000021
【図２０】
2020058738.tif 000022
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
利用者の頸動脈の温度を調節する温調部材と、
前記利用者の身体の首と異なる部位に支持される支持部材と、
前記頸動脈に対して所定の位置に前記温調部材が保持されるように、前記支持部材に前記温調部材を固定する固定部材とを備え、
前記支持部材は、前記利用者の鎖骨に載置される鎖骨載置部材を有する
身体温冷装置。
【請求項２】
前記支持部材は、
前記利用者の右耳に引っ掛けられる右耳掛け部材と、
前記利用者の左耳に引っ掛けられる左耳掛け部材とをさらに有する
請求項１に記載の身体温冷装置。
【請求項３】
前記固定部材は、前記温調部材が前記支持部材に対して第１位置または第２位置に配置されるように、前記支持部材に対して前記温調部材を固定する
請求項２に記載の身体温冷装置。
【請求項４】
前記固定部材は、
前記温調部材に固定され、第１穴と第２穴とが形成される固定部材本体と、
前記支持部材に固定され、前記第１穴と前記第２穴とのうちの１つの穴に嵌合するピンとを有する
請求項３に記載の身体温冷装置。
【請求項５】
前記温調部材は、
前記頸動脈のうちの左頸動脈の温度を調節する右側温調部材と、
前記頸動脈のうちの右頸動脈の温度を調節する左側温調部材とを有し、
前記右側温調部材と前記左側温調部材とが前記首を挟むように前記右側温調部材と前記左側温調部材とに弾性力を与える連結部
をさらに備える請求項２に記載の身体温冷装置。
【請求項６】
音声を出力する音響装置をさらに備え、
前記音響装置は、前記右耳掛け部材または前記左耳掛け部材に支持される
請求項２に記載の身体温冷装置。
【請求項７】
前記右耳または前記左耳から前記利用者の生体情報を検出する生体センサをさらに備え、
前記生体センサは、前記右耳掛け部材または前記左耳掛け部材に支持される
請求項２に記載の身体温冷装置。
【請求項８】
前記生体センサは、前記利用者の脈拍を測定する脈拍センサを含む
請求項７に記載の身体温冷装置。
【手続補正２】
【補正対象書類名】明細書
【補正対象項目名】０００６
【補正方法】変更
【補正の内容】
【０００６】
開示の態様では、身体温冷装置は、利用者の頸動脈の温度を調節する温調部材と、前記利用者の身体の首と異なる部位に支持される支持部材と、前記頸動脈に対して所定の位置に前記温調部材が保持されるように、前記支持部材に前記温調部材を固定する固定部材とを備えている。前記支持部材は、前記利用者の鎖骨に載置される鎖骨載置部材を有する。